(57)【要約】【課題】ブイに搭載されたＧＰＳ装置の性能低下を防止する魚礁流出警報装置を提供する。【解決手段】海中付着生物除去部１０は、海中付着生物が付着しないようにＧＰＳケース４に更に一つのケース１１が被せられている。ＧＰＳケース４は、ケース１１が上部から離脱可能に嵌合されている。ケース１１の上部内側には凹部１６が形成されていて、反発力発生手段１５が内蔵されている。反発力発生手段１５を圧縮するようにしてケース１１とＧＰＳケース４とを嵌合する。海水中で溶融する細線１４によりケース１１とＧＰＳケース４とを固定する。一定期間後に前記細線１４が溶融し、魚礁流出警報装置が海上に浮上した時に水圧が除かれて反発力発生手段１５の反発力により前記ケース１１がＧＰＳケース４から離脱される。それによってＧＰＳ装置の性能が低下せず、ＧＰＳ信号の受信が可能となる。【選択図】　図１
2004033122.tif 000002
【特許請求の範囲】
【請求項１】
ＧＰＳ装置が搭載された魚礁流出警報装置において、前記ＧＰＳ装置又は／及びＧＰＳアンテナが収納されているＧＰＳケースを被う、離脱可能な海中付着生物除去部を設け、該海中付着生物除去部内に前記ＧＰＳケースとの間に反発力を発生する反発力発生手段を備え、前記海中付着生物除去部は、海水で溶解される細線により前記ＧＰＳケースに固定され、前記細線が溶融した後に前記海中付着生物除去部に加わる外力が一定値以下になった時に前記反発力発生手段により前記ＧＰＳケースから離脱することを特徴とする魚礁流出警報装置。
【発明の詳細な説明】
【０００１】
【発明の属する技術分野】
本発明は、浮魚礁など搭載されている魚礁流出警報装置に関し、特にブイに搭載されたＧＰＳ装置の性能低下を防止する魚礁流出警報装置に関する。
【０００２】
【従来の技術】
沿岸に設置される浮魚礁などには、該魚礁の流出を監視するために、流出警報装置が搭載されている。かかる浮魚礁のうち、海上を浮遊する浮魚礁は、船舶の運行の障害になったり、あるいは海上を航行する船舶が該浮魚礁に衝突するなどの事故が発生するために、浮魚礁としては海中の中層を浮遊するものが多用されている。かかる浮魚礁にはその流出を防ぐために、流出警報装置が設けられている。該流出警報装置は、図３に示すような海中３０〜４０ｍ下で浮遊する浮魚礁１に流出警報装置２がローブ３などにより結束固定されている。流出警報装置２には図４に示すようなＧＰＳ（ｇｌｏｂａｌ　ｐｏｓｉｔｉｏｎｉｎｇ　ｓｙｓｔｅｍ）装置が上部蓋８上に搭載されている。該ＧＰＳ装置はＧＰＳケース４で被われていて、その中には図示していないＧＰＳアンテナ、又はＧＰＳ装置が収納されている。浮魚礁１は、図示していないチェーン又はロープなどにより海底に設置された図示していないアンカーに接続され、海中を浮遊している。
【０００３】
前記チェーン又はロープが切れて浮魚礁１が流出すると、その浮力によって該浮魚礁１が海上に浮上する。流出警報装置２には圧力に感応して流出警報装置２の電源を投入する圧力スイッチ６が上部蓋８に設けられている。浮魚礁１が浮上すると前記圧力スイッチ６が感応して流出警報装置２の電源が入り、流出警報装置２の筒状部２ａ内に設けられている図示していないＧＰＳ装置により、ケース４に収納されている図示していないＧＰＳアンテナによりＧＰＳ衛星からの電波を受信して、ＧＰＳ衛星から当該流出ブイの位置情報を受信する。そして基地局に対してブイ固有の選択番号を付加して当該流出ブイの位置情報をアンテナ５から１５分間隔で発信する。電波を受けた基地局はブイ固有の選択番号と当該流出ブイの位置情報から流出ブイの回収を行なう。
【０００４】
【発明が解決しようとする課題】
前記ＧＰＳを搭載したブイには、ＧＰＳ電波を受信するアンテナが設けられている。一方、当該ブイは、海中で使用されるために海中付着生物がＧＰＳアンテナを収納しているケース４に付着してＧＰＳ装置の性能が低下する。かかるＧＰＳ装置の性能低下を防止するために、従来からアンテナが収納されているケースに防汚塗料などが塗られている。その寿命効果はおよそ２〜３年と短期間である。一方、前記浮魚礁などの期待寿命は、１０年間程度であり、前記防汚塗料などでは、かかる期待寿命を満足できないという問題がある。
【０００５】
本発明は、かかる問題を解決してブイに搭載されたＧＰＳ装置の性能低下を防止する魚礁流出警報装置を提供することを目的としてなされたものである。
【０００６】
【課題を解決するための手段】
本発明は上記目的を達成するために請求項１記載のＧＰＳ装置が搭載された魚礁流出警報装置は、前記ＧＰＳ装置又は／及びＧＰＳアンテナが収納されているＧＰＳケースを被う、離脱可能な海中付着生物除去部を設け、該海中付着生物除去部内に前記ＧＰＳケースとの間に反発力を発生する反発力発生手段を備え、前記海中付着生物除去部は、海水で溶解される細線により前記ＧＰＳケースに固定され、前記細線が溶融した後に前記海中付着生物除去部に加わる外力が一定値以下になった時に前記反発力発生手段により前記ＧＰＳケースから離脱することを特徴とする。
【０００７】
【発明の実施の形態】
本発明は、浮魚礁などに用いるＧＰＳ装置が搭載された魚礁流出警報装置である。ＧＰＳ装置又は／及びＧＰＳアンテナが収納されているＧＰＳケースに海中付着生物が付着して前記ＧＰＳ装置の性能の低下を防止するケース（以下、海中付着生物除去部と称す）が設けられている。その概略は、以下のようである。即ち、当該魚礁流出警報装置は、ＧＰＳケースに海中付着生物が付着しないように該ＧＰＳケースに海中付着生物除去部を被せ、魚礁流出警報装置が海上に浮上した時に該海中付着生物除去部が離脱することにより海中付着生物を除去する、魚礁流出警報装置である。
【０００８】
離脱手段にはスプリングなどの反発力を利用し、該反発力が海中付着生物除去部及びそれを用いた魚礁流出警報装置を海中（水深３０〜４０ｍ）に設置したときの水圧以下となるようにして、離脱を防止する。そして、魚礁流出警報装置が海上に浮上した時に、前記反発力が水圧より強まると、該反発力によりＧＰＳケースに被せたケースが海中付着生物を付着したまま離脱する。その結果、ＧＰＳケースには海中付着生物が付着せず、従ってＧＰＳ装置の性能の低下がない。なお、前記海中付着生物除去部を海中に設置する前に、前記スプリングなどの反発力によりＧＰＳケースに被せたケースが離脱するのを防止するために、海水によって溶融する細線でＧＰＳケースに被せたケースを固定しておく。
【０００９】
図１は、本発明の海中付着生物除去部１０をＧＰＳケース４に取り付けたときの断面図である。図２は、本発明の海中付着生物除去部１０の図であって、図２（ａ）は側面図、図２（ｂ）は側断面図、図２（ｃ）は底面図である。以下、図１、図２を用いて説明するが、従来と同一部分は図３、図４を参照して説明する。
【００１０】
図１及び図２において、ＧＰＳケース４の中には図示していないＧＰＳアンテナ及びＧＰＳ受信機が設けられていて、防水パッキン２０とベース２１にそれぞれ形成された貫通孔２０ａ、２１ａから図示していないケーブルにより脚部２３の中を通り、図示していない魚礁流出警報装置の制御部に接続されている。前記パッキン２０の上にはＧＰＳケース４が複数個の防水コネクタ１９ａ、１９ｂにより固定されていて海水の流入を防止している。また、脚部２３の下端は図４に示した上部蓋８上に固定されている。なお、海中付着生物除去部を除く魚礁流出警報装置の構成、動作は従来例と同様であり、説明を省略する。
【００１１】
ＧＰＳケース４には、海中付着生物除去部１０を構成するケース１１が上部から離脱可能に嵌合され、前記ＧＰＳケース４が被われている。ケース１１の上部内側には凹部１６が形成されていて、前記ＧＰＳケース４の上部外側との間に空間が形成されている。前記ケース１１の上部内側に形成された凹部１６にはケース１１とＧＰＳケース４とが互いに反発するように反発力発生手段１５（スプリング）が設けられ、該反発力発生手段１５の反発力により前記ケース１１がＧＰＳケース４から離脱する。反発力発生手段１５を圧縮するようにしてケース１１とＧＰＳケース４とを嵌合する。海中でケース１１が離脱するのを防止するために、前記反発力は、海中付着生物除去部を海中に設置したとき以下のように定める。即ち、前記反発力発生手段１５の反発力が、後述するオーリング１８とＧＰＳケース４との係合力およびケース１１とＧＰＳケース４との嵌合力及び海中付着生物除去部を海中に設置したときの水圧以下となるように定められている。
【００１２】
前記嵌合時にケース１１とＧＰＳケース４との密着度及び接触していない部分の長さＬは、当該海中付着生物除去部１０が設置される場所の水圧、潮力、深さ、前記反発力発生手段１５の反発力などによりケース１１とＧＰＳケース４とが離脱しないように適宜定め、望ましくは前記凹部１６に海水が浸潤しないことが望ましい。更に又、嵌合時にケース１１とＧＰＳケース４との密着度及び接触していない部分とケース１１とに亘って海中付着生物が付着して、ケース１１とＧＰＳケース４とが離脱しにくくならないように、前記長さＬは短いことが望ましい。かかる場合においても反発力発生手段１５の反発力により前記ケース１１がＧＰＳケース４から離脱されるように定められている。又、前記反発力発生手段１５は、海水により腐食しない材料（例えばステンレス）で形成されていることが望ましい。
【００１３】
ケース１１の最上部には貫通孔１３ａを有する凸部１２が形成されていて、前記貫通孔１３ａには細線１４が貫通される。該細線１４は、海水中に一定期間（数日、あるいはそれ以上）放置されると溶融する、例えば銅あるいは亜鉛などを主成分とする細線であって、その太さは海水中に放置される期間あるいは環境などにより適宜定める。前記細線１４を貫通孔１３ａに貫通し、脚部２３の外側に設けられた細線固定突起２２ａ、２２ｂにその先端を卷回してケース１１とＧＰＳケース４とを固定する。その結果ケース１１とＧＰＳケース４とは細線１４が溶融しない間、密着嵌合固定されている。
【００１４】
図２は、前記ケース１１の図であって、図２（ａ）は側面図、図２（ｂ）は側断面図、図２（ｃ）は底面図である。前述したように、細線１４が貫通される貫通孔は、ケース１１の大きさ、設置される環境などに応じて貫通孔１３ａ以外に貫通孔１３ｂを貫通孔１３ａと直交する方向に設けてもよい。かかる場合には前記細線固定突起も脚部２３の外側に別に設けることが好ましい。ケース１１の下方内側には凹部１７が形成されている。該凹部１７にはオーリング１８が挿入され、該オーリング１８は、図１に示すようにＧＰＳケース４の外側に係合されている。即ち、ケース１１とＧＰＳケース４とを嵌合した時に前記オーリング１８により潮力などによりケース１１とＧＰＳケース４とが離脱しないようにすると共に、前記凹部１６への海水の浸潤を防止する作用をする。
【００１５】
なお、前記オーリング１８とＧＰＳケース４との係合力およびケース１１とＧＰＳケース４との嵌合力は、海上でケース１１とＧＰＳケース４とが離脱するように前記反発力発生手段１５の反発力以下となるように前記係合力および嵌合力とが定められている。
【００１６】
前記魚礁流出警報装置は、図３、図４で説明した魚礁流出警報装置２に前記図１、図２で示した海中付着生物除去部１０を装着することにより実現でき、以下のように作用する。即ち、前記ＧＰＳ装置又は／及びＧＰＳアンテナが収納されているＧＰＳケース４を被い、ＧＰＳケース４から離脱可能な海中付着生物除去部１０のケース１１に形成された凹部１６に前記反発力発生手段１５を設ける。海水で溶解される細線１４を貫通孔１３ａに貫通し、脚部２３の外側に設けられた細線固定突起２２ａ、２２ｂにその先端を卷回してケース１１とＧＰＳケース４とを固定して海中に投入する。細線１４が海水で溶融されるまでの間、前記ＧＰＳケース４とケース１１とは固定されて前記反発力発生手段１５の反発力が一定期間抑制される。一定期間後に前記細線１４が溶融しても前記海中付着生物除去部１０には水中での圧力が加わり、前記ＧＰＳケース４とケース１１とは固定されて前記反発力発生手段１５の反発力が抑制される。
【００１７】
ロープが切れて図３、図４で述べた浮魚礁１が流出すると、その浮力によって該浮魚礁１が海上に浮上すると水圧が低下する。前記細線１４が溶融されているために前記反発力発生手段１５の反発力を抑制する手段がなくなり、前記ケース１１は反発力発生手段１５の反発力によりＧＰＳケース４から離脱する。その結果、ケース１１に海中付着生物が付着されていてもケース１１がＧＰＳケース４から離脱されるのでＧＰＳ装置の性能は低下しない。又、浮魚礁１が流出するのは一回なのでケース１１がＧＰＳケース４から離脱しても問題はなく、魚礁流出警報装置２が回収された後に再度ケース１１をＧＰＳケース４に被せて使用すればよい。
【００１８】
流出警報装置２には前述したように圧力に感応して流出警報装置２の電源を投入する圧力スイッチ６が上部蓋８に設けられている。該浮魚礁１が浮上すると前記圧力スイッチ６が感応して流出警報装置２の電源が入り、流出警報装置２の筒状部２ａ内に設けられている図示していないＧＰＳ装置により、ケース４に収納されている図示していないＧＰＳアンテナによりＧＰＳ衛星からの電波を受信して、ＧＰＳ衛星から当該流出ブイの位置情報を受信する。そして基地局に対してブイ固有の選択番号を付加して当該流出ブイの位置情報をアンテナ５から１５分間隔で発信する。
【００１９】
【発明の効果】
請求項１記載のＧＰＳ装置が搭載された魚礁流出警報装置において、前記ＧＰＳ装置又は／及びＧＰＳアンテナが収納されているＧＰＳケースを被う、離脱可能な海中付着生物除去部を設け、該海中付着生物除去部内に前記ＧＰＳケースとの間に反発力を発生する反発力発生手段を備え、前記海中付着生物除去部は、海水で溶解される細線により前記ＧＰＳケースに固定され、前記細線が溶融した後に前記海中付着生物除去部に加わる外力が一定値以下になった時に前記反発力発生手段により前記ＧＰＳケースから離脱することにより、魚礁流出警報装置を海中に長期間設置して海中付着生物が付着してもケース内部に収納されている機器の性能が低下しない。
【図面の簡単な説明】
【図１】本発明の海中付着生物除去部をＧＰＳケースに取り付けたときの断面図である。
【図２】本発明の海中付着生物除去部を構成するケースの図であって、図２（ａ）は側面図、図２（ｂ）は側断面図、図２（ｃ）は底面図である。
【図３】従来の浮魚礁の外観図であって、図３（ａ）は上面図、図３（ｂ）は側面図である。
【図４】従来の流出警報装置の外観図であって、図４（ａ）は正面図、図４（ｂ）は筒状部の側面図、図４（ｃ）は筒状部の上面図である。
【符号の説明】
４　ＧＰＳケース
８　上部蓋
１０　海中付着生物除去部
１１　ケース
１３ａ、１３ｂ　貫通孔
１４　細線
１５　反発力発生手段
１６、１７　凹部
１８　オーリング
１９ａ、１９ｂ　防水コネクタ
２０　防水パッキン
２０ａ、２１ａ　貫通孔
２２ａ、２２ｂ　細線固定突起
２３　脚部
【図１】
2004033122.tif 000003
【図２】
2004033122.tif 000004
【図３】
2004033122.tif 000005
【図４】
2004033122.tif 000006